(57)【要約】      （修正有）【課題】通信可能な家庭用生活関連電気機器と映像を表示可能な電子機器との間の通信で取得する情報を表示する電子機器及び表示方法を提供する。【解決手段】所定の信号伝送規格のもとで相互に信号の伝送が可能な生活家電機器と映像表示装置とにおいて、生活家電機器の稼動開始あるいは購入時期に対応する第一の情報に基づいて、映像表示装置が稼動開始あるいは購入時期からの経過期間に依存する第二の情報を表示する際に、第一の情報が任意の月内の所定の日付よりも月末側の日付を示すか否かに応じて第二の情報の表示内容を異ならせ、かつ現在の日付に基づいた第二の情報の表示内容を表示する。【選択図】図１
2016053832.tif 000002
【特許請求の範囲】
【請求項１】
所定の信号伝送規格のもとで相互に信号の伝送が可能な生活家電機器と映像表示装置とにおいて、前記生活家電機器の稼動開始あるいは購入時期に対応する第一の情報に基づいて、前記映像表示装置が前記稼動開始あるいは購入時期からの経過期間に依存する第二の情報を表示する際に、
前記第一の情報が任意の月内の所定の日付よりも月末側の日付を示すか否かに応じて前記第二の情報の表示内容を異ならせ、かつ現在の日付に基づいた前記第二の情報の表示内容を表示する表示方法。
【請求項２】
前記第一の情報が、月内の日付を時系列で複数に分割した第１グループ群のうちの最初のグループに含まれる日付を示すとき、月末までの期間については、前記第二の情報の表示内容を、稼働開始当月又は購入時期当月のための第一の表示内容とし、翌月初めから翌月末までについては翌月のための第二の表示内容とするとする請求項１の表示方法。
【請求項３】
前記第一の情報が、前記第１グループ群のうち前記最初のグループの次のグループに含まれる日付を示すとき、翌月の月内の日付を時系列に複数に分割した第２グループ群のうち最初のグループに含まれる日付の期間においては、前記第二の情報の表示内容を前記第一の表示内容とし、第２グループ群のうち前記第２の最初のグループとは異なるグループに含まれる日においては前記第二の表示内容とする請求項２の表示方法。
【請求項４】
前記第一の情報が、前記第１グループ群のうち最後のグループに含まれる日付を示すとき、前記第２グループ群のうち前記異なるグループに含まれる日付の期間においては、前記第二の情報の表示内容を前記第一の表示内容とし、前記第２グループ群のうち前記異なるグループよりも月末側のグループに含まれる日付においては前記第二の表示内容とする請求項３の表示方法。
【請求項５】
前記第二の情報は、前記生活家電機器からの感謝又はお祝いを示すメッセージである、請求項１乃至４の何れかに記載の表示方法。
【請求項６】
所定の信号伝送規格のもとで相互に信号の伝送が可能な生活家電機器の稼動開始あるいは購入時期に対応する第一の情報を保持する記憶手段と、
前記第一の情報に関連し、前記稼動開始あるいは購入時期からの経過期間に基づく第二の情報を表示する際に、前記第一の情報が任意の月内の所定の日付よりも月末側の日付を示すか否かに応じて前記第二の情報の表示内容を異ならせ、かつ現在の日付に基づいた前記第二の情報の表示内容を表示するための表示信号を出力する表示制御手段と、
を具備する電子機器。
【請求項７】
前記信号伝送規格は、ＥＣＨＯＮＥＴ  Ｌｉｔｅに準拠する請求項６の電子機器。
【請求項８】
前記第二の情報を表示する表示手段をさらに具備する請求項７または８の電子機器。
【請求項９】
前記表示制御手段は、前記第一の情報が、月内の日付を時系列で複数に分割した第１グループ群のうちの最初のグループに含まれる日付を示すとき、月末までの期間については、前記第二の情報の表示内容を、稼働開始当月又は購入時期当月のための第一の表示内容とし、翌月初めから翌月末までについては翌月のための第二の表示内容とする請求項６ないし８の何れかの電子機器。
【請求項１０】
前記表示制御手段は、前記第一の情報が、前記第１グループ群のうち前記最初のグループの次のグループに含まれる日付を示すとき、翌月の月内の日付を時系列に複数に分割した第２グループ群のうち最初のグループに含まれる日付の期間においては、前記第二の情報の表示内容を前記第一の表示内容とし、第２グループ群のうち前記第２の最初のグループとは異なるグループに含まれる日においては前記第二の表示内容とする請求項７ないし９の何れかの電子機器。
【請求項１１】
前記表示制御手段は、前記第一の情報が、前記第１グループ群のうち最後のグループに含まれる日付を示すとき、前記第２グループ群のうち前記異なるグループに含まれる日付の期間においては、前記第二の情報の表示内容を前記第一の表示内容とし、前記第２グループ群のうち前記異なるグループよりも月末側のグループに含まれる日付においては前記第二の表示内容とする請求項７ないし９の何れかの電子機器。
【発明の詳細な説明】
【技術分野】
【０００１】
この発明は、電子機器及び表示方法に関する。
【背景技術】
【０００２】
冷蔵庫や洗濯機、照明機器等の生活関連家庭用電気機器（以下、生活家電機器）とテレビジョン受信装置やレコーダーと接続したモニタ装置等の映像を表示可能な電子機器との間のインタフェース規格としてＥＣＨＯＮＥＴ  Ｌｉｔｅ（Energy Conservation and Homecare Network（ECHONET CONSORTIUM）が制定するECHONETプロトコル）の運用が開始され、対応する機器が入手可能である。
【先行技術文献】
【特許文献】
【０００３】
【特許文献１】特開２０１０−０１４３７９号公報
【発明の概要】
【発明が解決しようとする課題】
【０００４】
ＥＣＨＯＮＥＴ  Ｌｉｔｅに準拠する生活家電機器からの通知（情報）を利用し、例えば家電機器を購入した日や使い始めた日を、テレビジョン受信装置（以下、テレビ装置と称する）、等の電子機器に表示することができる。
【０００５】
例えば、生活家電機器を購入した日もしくは使い始めた日をその家電の誕生日と考え、誕生日からの経過年月に応じて「祝！○年！ありがとう！！」、等の誕生日メッセージをテレビ装置に表示することで使用年月を可視化できる。これにより、さまざまな家電装置に、（ユーザの）愛着を生みだすことが可能である。
【０００６】
しかしながら、テレビ装置に表示する誕生日メッセージの表示期間が短い場合、ユーザが、表示されたメッセージに気づくことなく、誕生日メッセージの表示が終了する場合がある。
【０００７】
この発明の目的は、通信可能な家庭用生活関連電気機器と映像を表示可能な電子機器との間の通信で取得する情報を表示する電子機器及び表示方法を提供することである。
【課題を解決するための手段】
【０００８】
実施形態の表示方法は、所定の信号伝送規格のもとで相互に信号の伝送が可能な生活家電機器と映像表示装置とにおいて、前記生活家電機器の稼動開始あるいは購入時期に対応する第一の情報に基づいて、前記映像表示装置が前記稼動開始あるいは購入時期からの経過期間に依存する第二の情報を表示する際に、前記第一の情報が任意の月内の所定の日付よりも月末側の日付を示すか否かに応じて前記第二の情報の表示内容を異ならせ、かつ現在の日付に基づいた前記第二の情報の表示内容を表示する。
【図面の簡単な説明】
【０００９】
【図１】実施形態に係る電子機器と生活家電機器との間の信号伝送の一例を示す。
【図２】実施形態に係る電子機器（映像表示装置）の構成の一例を示す。
【図３】実施形態に係る電子機器（映像表示装置）が表示するメッセージの一例を示す。
【図４】実施形態に係る電子機器（映像表示装置）が表示するメッセージの表示期間の一例を示す。
【図５Ａ】実施形態に係る電子機器（映像表示装置）が表示するメッセージの場合分けの手法をソフトウェア的に示す。
【図５Ｂ】実施形態に係る電子機器（映像表示装置）が表示するメッセージの場合分けの手法をソフトウェア的に示す。
【発明を実施するための形態】
【００１０】
以下、図面を参照して、本発明の実施の一形態について説明する。
【００１１】
図１は、実施形態に係る電子機器と生活家電機器との間のＥＣＨＯＮＥＴ  Ｌｉｔｅを適用する信号伝送の一例を示す。
【００１２】
図１は、電子機器、例えばデジタルテレビジョン放送受信再生装置（以下テレビ装置と称する）１０１、ＥＣＨＯＮＥＴ  Ｌｉｔｅに準拠する信号伝送規格を用いてテレビ装置１０１に、自身の動作状態を通知可能な生活関連家庭用電気機器（以下生活家電機器と称する）１−４による家庭内ネットワークシステムの一例を示す。
【００１３】
図１において、生活家電機器の１つは、例えば洗濯機１であり、例えば洗濯完了、等の完了通知が可能である。また、生活家電機器の１つは、例えば冷蔵庫２であり、例えばドアの半開（不完全なドアの閉まり）、等の好ましくない動作状態を通知する。また、生活家電機器の１つは、例えば照明装置３であり、点灯／消灯、等のユーザによるスイッチの操作に連動した状態を通知する。また、生活家電機器の１つは、例えば冷暖房装置（エアコン）４であり、例えばフィルタの清掃時期であることの通知や、自己診断機能に従う故障（エラー通知）を通知する。
【００１４】
なお、それぞれの生活家電機器１、２、３及び４について、初回通電時、すなわち購入後、初めて電源をオンした日（年月）もしくはネットワーク（クラウド）の製造メーカのサービスサーバに購入時登録を行った日（年月）を、その生活家電機器の誕生日と考え、誕生日からの経過年月に応じて「祝！○年！ありがとう！！」等のように、生活家電機器からのお祝いや感謝を示すの誕生日メッセージをテレビ装置１０１に表示することにより、個々の生活家電機器の使用年月を可視化できる。
【００１５】
これにより、家庭内において利用する生活家電装置に、ユーザの愛着を生みだすことが可能である。また、ある程度の使用期間を経て家電装置に故障が生じた場合においても、ユーザに、『長い間、ありがとう』というような、長期間動いていてくれた、という意識を持たせることができる。
【００１６】
図２は、実施形態に係る電子機器（テレビジョン受信装置、以下テレビ装置と称する）の構成の一例を示す。
【００１７】
図２が示すテレビ装置１０１は、入力部（チューナ）１１、信号処理部（ＴＳ分離部）１２、映像処理ブロック２１、音声処理ブロック３１及び主制御ブロック５１、等を含む。なお、テレビ装置１０１は、表示部（ディスプレイ）を一体に有してもよい。また、表示部は、テレビ装置１０１と非接触で、映像記憶装置が無線方式により送信する番組を表示するものであってもよい。なお、以下に説明する要素や構成は、処理装置すなわちマイクロコンピュータ（ＣＰＵ（Central Processing Unit））によりソフトウェアで実現するものであってもよいしハードウェアで実現するものであってもよい。また、以下の説明において、放送は、空間を伝播する電波として放送事業者（放送局）が提供するもの、あるいはケーブル（光ファイバを含む）網やＩＰ（Internet Protocol）網等のネットワークを通じて配信事業者が配信するもの等、を含む。また、放送は、映像と音声または音楽もしくはその両者を含み、一定時間（放送時間）を単位とするさまざまな番組を、提供する形態を示す。なお、番組は、コンテンツもしくはストリームと呼称する場合もある。また、映像は、動画や静止画、あるいはテキスト（コード化された符号列で示される文字や記号等で表される情報）ならびにその任意の組み合わせを含む。
【００１８】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。
【００１９】
入力部１１に入力する放送あるいはビデオカメラ装置等からの外部入力画像は、信号処理部（ＴＳ分離部）１２が、ＴＳ（Transport Stream）すなわち映像信号（ビデオ）及び音声信号（オーディオ）、ならびに制御情報に分離する。なお、制御情報は、例えばＴＳ（ストリーム）の分配規則や内容、スケジュールあるいはタイミング、等を記述したＳＩ（Service Information、番組配列情報）、等を含む。
【００２０】
映像信号（ビデオ）は、映像処理ブロック２１の映像デコーダ２２がデコードし、デジタル映像信号（ビデオ出力）として出力する。
【００２１】
映像処理ブロック２１及び音声処理ブロック３１には、それぞれ、ディスプレイ２６及びスピーカ３６が接続する。
【００２２】
映像処理ブロック２１は、映像（ビデオ）デコーダ２２、映像（ビデオ）処理部２３、
ＯＳＤ（On Screen Display）処理部２４及び表示制御部２５、等を含む。
【００２３】
映像処理部２３は、映像デコーダ２２がデコードしたデジタル映像信号をディスプレイ２６が表示可能な所定の解像度及び出力方式に変換する。表示制御部２５は、映像処理部２３が変換した映像信号を、ディスプレイ２６における好適な表示（映像再生）が可能な表示駆動信号に変換する。表示制御部２５はまた、ＯＳＤ処理部２４からのＯＳＤ（On Screen Display）信号と表示駆動信号とを合成する。なお、表示制御部２５の出力は、例えば外部に接続する外部モニタ装置あるいは投影装置（プロジェクタ装置）等が接続可能な出力端２７に出力されてもよい。
【００２４】
音声処理ブロック３１は、音声（オーディオ）デコーダ３２、音声（オーディオ）処理部３３、遅延部３４及びＤ−Ａ（Digital to Analog）コンバータ３５、等を含む。
【００２５】
音声信号（オーディオ）については、音声処理部３３において音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。
【００２６】
操作部６１は、ユーザによる直接操作に対応する制御コマンドを主制御ブロック５１に入力する。
【００２７】
受信部６２は、リモコン端末（リモートコントローラ）７１による指示（操作入力）に対応するコマンドを主制御ブロック５１に入力する。
【００２８】
通信インタフェース６３は、ＥＣＨＯＮＥＴ  Ｌｉｔｅに準拠する信号伝送規格により生活家電機器１−４のそれぞれと信号伝送を行う。なお、通信インタフェースとしては、例えばＷｉＦｉ（Wireless Fidelity）規格等に準拠する近距離無線通信機器との間の無線通信を実現する。なお、近距離無線通信規格としては、例えばBluetooth（登録商標）規格やＮＦＣ（Near Field Communication）等も利用可能である。通信インタフェース６３はまた、有線方式／無線方式のいずれであってもよく、例えばワイヤレスキーボードやマウス等との間の信号の受け渡しが可能な通信ユニット、等が接続する。
【００２９】
ネットワーク制御部６４は、例えばネットワークＮＴＷからのさまざまな情報の取得及び送信、ネットワークＮＴＷへのアクセス、等を制御する。なお、ネットワークＮＴＷ上には、生活家電機器１−４及びテレビ装置１０１を製造する製造メーカのサービスサーバが接続している。
【００３０】
ＵＳＢインタフェース６５は、例えばＵＳＢ規格に準拠する外部装置、例えばキーボード等の利用を可能とする。
【００３１】
ＨＤＭＩ制御部６６は、ＨＭＤＩ規格またはＭＨＬ規格を利用する機器相互間の有線通信を可能とする。
【００３２】
ＨＤＤ６７は、受信（取得）したコンテンツを記憶する。なお、ＨＤＤ６７が保持する映像信号や音声信号等は、ネットワーク制御部６４を経由して、他の機器あるいはネットワークＮＴＷに出力することが可能である。また、ネットワーク制御部６４を経由して入力する他の機器からの映像信号や音声信号等は、ＨＤＤ６７が保持することなく、ディスプレイ２６やスピーカ３６においてそのまま再生することも可能である。
【００３３】
主制御ブロック５１は、例えばＣＰＵ（主処理回路）５２、ＣＰＵ５２が実行する制御プログラムを保持するＲＯＭ（読出専用メモリ）５３、ＣＰＵ５２に作業エリアを提供するＲＡＭ（ランダムアクセスメモリ（ワークメモリ））５４、各種の設定情報及び個々の生活家電機器１−４の誕生日（年月）、等を保持するＮＶＭ（不揮発性（書き換え可能）メモリ）５５、誕生日メッセージ制御部５６、等を含む。主制御ブロック５１にはまた、操作部６１、受信部６２、通信インタフェース６３、ネットワーク制御部６４、ＵＳＢ（Universal Serial Bus）インタフェース６５、ＨＤＭＩ（（登録商標）High-definition Digital Media Interface）制御部６６、ＨＤＤ（Hard Disk Drive）６７、等が接続する。なお、個々の生活家電機器の誕生日情報（年月データ）は、サービスサーバ（クラウド）が記憶するものであってもよい。
【００３４】
誕生日メッセージ制御部５６は、個々の生活家電機器１−４の誕生日（年月）に、誕生日メッセージをテレビ装置１０１が表示する際に、図３に示すさまざまなタイプの誕生日メッセージを、図４に示す表示パターン（表示期間とメッセージタイプの組み合わせ）にて表示するために、図５Ａ及び図５Ｂにより後段に説明する経過年月に基づいて、表示区分を判定する。すなわち、誕生日メッセージ制御部５６は、誕生日記録部であるＮＶＭ（不揮発性メモリ）５５から個々の生活家電機器の誕生日を読み出し、該当する誕生日メッセージを選択し、ディスプレイ２６に表示可能に、ＯＳＤ処理部２４に出力する。
【００３５】
なお、テレビ装置１０１のディスプレイ２６は、所定のタイミング、例えば毎日の所定の時間やテレビ装置１０１の起動時、あるいはＥＣＨＯＮＥＴ  Ｌｉｔｅにおけるモニタ表示画面の表示がユーザ操作により指示された時点から所定の時間、上述の誕生日メッセージを表示する。
【００３６】
また、個々の生活家電機器１−４の誕生日（年月）すなわち誕生日に関する情報（年月データ）は、リモコン端末（リモートコントローラ）７１または操作部６１により、例えばテレビ装置１０１のディスプレイ２６が表示する入力画面から予め入力される。
【００３７】
主制御ブロック５１は、ＣＰＵ５２により、操作部６１からの操作情報（制御入力）や受信部６２が受信するリモコン７１からの操作情報（制御入力）に基づいて、上述の各部要素を制御する。
【００３８】
また、主制御ブロック５１は、映像デコーダ２２及び音声デコーダ３２が出力する映像信号や音声信号等を、ユーザの操作（制御入力）に基づいて、ＨＤＤ６７に記録することが可能である。ＨＤＤ６７への映像信号や音声信号等の記録に際しては、主制御ブロック５１は、映像信号や音声信号等を暗号化処理し、所定の記録フォーマットに変換する。主制御ブロック５１は、ユーザによるリモコン７１等からの操作（指示入力）に基づいて、ＨＤＤ６７から所望の映像信号や音声信号等を読み出し、復号し、映像デコーダ２２及び音声デコーダ３２に供給して、映像表示や音声再生を実行する。
【００３９】
主制御ブロック５１はまた、ＮＶＭ５５もしくはＲＯＭ５３が保持するプログラムまたはアプリケーションあるいはＣＰＵ５２のファームウェアにより、信号処理部（ＴＳ分離部）１２が分離するＴＳから字幕情報（ニュース番組においてアンカー（アナウンサ）が発声した音声を字幕化した生字幕を含む）やＥＰＧ（電子番組表）情報を、取得できる。
【００４０】
図３に、電子機器（テレビ装置）１０１が表示する誕生日メッセージの一例を示す。
【００４１】
なお、図３に示す誕生日メッセージの「タイプ」は、誕生日と現在の日付から計算した経過年月に基づいて、どのタイプのメッセージを表示するか、を決定するものである。なお、図３においては、具体的な誕生日メッセージの例として最初の１ヵ月目を当月としたメッセージとしている。
【００４２】
上述した生活家電機器の誕生日のメッセージとしては、初回通電時、すなわち購入後、初めて電源をオンした日（年月）以降に、ユーザによる誕生日の登録がない場合、購入直後（誕生日登録直後）の一定期間の間、誕生日を基準とした所定期間ごとの特定の表示、例えば「祝！○年！ありがとう！！」、等、をテレビ装置１０１に表示することにより、個々の生活家電機器の使用年月を可視化できる。これにより、ある程度の使用期間を経て家電装置に故障が生じた場合においても、ユーザに、長期間動いていてくれて『長い間、ありがとう』というような、という意識を持たせることができる。
【００４３】
なお、誕生日メッセージとしては、例えば    
タイプ０：「誕生日を設定してね」    
タイプ１：「買ってくれて、ありがとう」    
タイプ２：「祝！○年！ありがとう！！」    
タイプ３：「今月で、○年×ヶ月です」    
等、が好ましい。
【００４４】
図４に、実施形態に係る電子機器（映像表示装置）が表示する誕生日メッセージの表示期間と表示する誕生日メッセージのタイプの組み合わせの一例を示す。
【００４５】
テレビ装置に表示する生活家電機器の誕生日（初回通電時または購入後、初めて電源をオンした日）が月末あるいは月末までの日数が少ない下旬である場合、誕生日メッセージの表示期間は、数日（あるいは１日）となる。この場合、誕生日メッセージの表示が終了するまでの期間に、ユーザが、誕生日メッセージに気づかないことがあり得る。
【００４６】
このため、生活家電機器の誕生日が、月末あるいは月末までの日数が一定の日数以内である場合、誕生日メッセージとしてテレビ装置１０１が表示する誕生日メッセージの表示パターンとメッセージのタイプを好適に組み合わせることで、表示中の誕生日メッセージに、ユーザが気づき易く、かつ、対象の生活家電機器に対する愛着を生みださせることが可能である。
【００４７】
なお、誕生日メッセージの表示パターンとしては、図４に一例を示すように、タイプ１の「買ってくれて、ありがとう」という主旨の稼働開始当月又は購入時期当月を意識した誕生日メッセージを、翌月月初または翌月の所定期間を経過した特定の日付を境界としてタイプ２の「祝！○年！ありがとう！！」という誕生日メッセージというような翌月または所定期間経過時を意識した表示内容と切り替える場合に、生活家電機器の誕生日が、    
［１］１日〜１０日    
［２］１１日〜２０日    
［３］２１日〜末日    
のいずれの期間内であるか、に応じて、表示する内容を異なる表示とする（切り替える）日付を変えるものとする。
【００４８】
例えば、生活家電機器の誕生日が、１１日〜２０日である場合には、タイプ１の誕生日メッセージ（「買ってくれて、ありがとう」）を表示する最終日４１を翌月１０日とする。すなわち、所定の期間の間（翌月月初からその期間の最終日まで）は、本来翌月月初から表示すべきタイプ２のメッセージの代わりに、本来稼働開始当月又は購入時期当月に表示すべきタイプ１のメッセージを表示する。このため、タイプ２の誕生日メッセージ（「祝！○年！ありがとう！！」）を表示する初日４２は、翌月１１日となる。すなわち、本来翌月月初から表示すべきタイプ２のメッセージの表示期間は、生活家電機器の誕生日が、１日（月初）〜１０日である場合に比較して短くなるが、稼働開始当月又は購入時期当月に表示すべきメッセージの表示期間が延びることにより、
ユーザが、表示中の誕生日メッセージに気づき易くなる。
【００４９】
一方、生活家電機器の誕生日が、２１日〜末日である場合は、タイプ１の誕生日メッセージを表示する最終日４３を翌月１５日とし、タイプ２の誕生日メッセージを表示する初日４４を翌月１６日とする。すなわち、第二の所定の期間の間（翌月月初からその期間の最終日までの期間に続く期間）について、本来翌月月初から表示すべきタイプ２のメッセージに代えて、本来稼働開始当月又は購入時期当月に表示すべきタイプ１のメッセージを表示する。このため、タイプ２の誕生日メッセージ（「祝！○年！ありがとう！！」）を表示する初日４３は、翌月１６日となる。
【００５０】
なお、生活家電機器の誕生日が、１日（月初）〜１０日である場合には、タイプ１のメッセージとタイプ２のメッセージの表示の切り替えは、通常の月末とする（月単位で切り替えるものとする）。
【００５１】
なお、図４が示すように、登録した誕生日の日に応じた「タイプ１」または「タイプ２」の誕生日メッセージの表示期間の最初の１ヵ月目の例を示し、誕生日が１日〜１０日の場合、当月はタイプ１を、翌月はタイプ２を、示す。また、翌々月については、「タイプ３」を表示するものとする。一方、誕生日が１１日〜２０日の場合、翌月１０日まではタイプ１を、翌月末まではタイプ２を、翌々月はタイプ３を表示するものとする。なお、誕生日が２１日〜月末の場合、翌月１５日まではタイプ１を、翌月末まではタイプ２を、翌々月はタイプ３を表示するものとする。なお、上記の説明では、月内の日付を時系列で３つのグループ（１日〜１０日、１１日〜２０日、２１日〜末日）に分割し、該３つのグループの何れに誕生日が該当するかに応じた処理を行っているが、分割するグループの数はこれに限らず、例えば１つの月を前半と後半で２分割しても良いし、あるいは４グループ以上に分割しても良い。また、誕生日翌月にメッセージを表示する際に該メッセージの内容を、月内の日付を時系列で分割した３つのグループ（１日〜１０日、１１日〜１５日、１５〜末日）の何れに現在の日付が該当するかに応じた処理を行っているが、このグループについても、上記同様３つ以外の数のグループに分割されて良い。
【００５２】
図５Ａ及び図５Ｂは、実施形態に係る電子機器（映像表示装置）が表示するメッセージのタイプの表示の場合分けの手法をソフトウェア的に示す。
【００５３】
初めに、機器の誕生日を取得する［０１］。
【００５４】
誕生日が取得できない場合、すなわち誕生日が未登録である場合［０２−ＹＥＳ］、図３に示した「タイプ０」の誕生日メッセージを表示する［２１］。
【００５５】
誕生日が取得できた場合［０２−ＮＯ］、経過年月を計算する［０３］。
【００５６】
経過年月が１０年１ヶ月以上である場合［０４−ＹＥＳ］、「タイプ３」の誕生日メッセージを表示する［２２］。
【００５７】
経過年月が１０年１ヶ月未満である場合［０４−ＮＯ］、経過年月を特定する［０５］−［０８］。すなわち、経過年月が０ヶ月以内（１ヶ月未満）である場合［０５−ＹＥＳ］、「タイプ１」の誕生日メッセージを表示する［２３］。
【００５８】
一方、経過年月が３ヶ月である場合［０５−ＮＯ］かつ［０６−ＮＯ］かつ［０７−ＹＥＳ］あるいは経過年月が６の倍数の月である場合［０８−ＹＥＳ］、それぞれ「タイプ２」の誕生日メッセージを表示する［２４］。なお、経過年月が６の倍数の月以外の月である場合［０８−ＮＯ］、「タイプ３」の誕生日メッセージを表示する［２５］。
【００５９】
また、経過年月が１ヶ月である場合であって［０５−ＮＯ］かつ［０６−ＹＥＳ］、誕生日（日付（ｄａｙ））が１０日より前の日付である場合［０９−ＹＥＳ］、「タイプ２」の誕生日メッセージを表示する［２６］。なお、経過年月が１ヶ月である場合であって［０５−ＮＯ］かつ［０６−ＹＥＳ］、誕生日（日付）が２０日より前の日付である場合［１０−ＹＥＳ］、さらに誕生日（日付）が１０日より前の日付かを判断する［１１］。
【００６０】
経過年月が１ヶ月である場合であって、誕生日（日付）が１０日より前の日付である場合［１１−ＹＥＳ］、「タイプ１」の誕生日メッセージを表示する［２７］。また、経過年月が１ヶ月である場合であって、誕生日（日付）が１１日〜２０日の間である場合［１１−ＮＯ］、「タイプ２」の誕生日メッセージを表示する［２８］。
【００６１】
一方、経過年月が１ヶ月である場合であって［０５−ＮＯ］かつ［０６−ＹＥＳ］、誕生日（日付）が２１日以降の日付である場合［１０−ＮＯ］、本日の日付を基準として、表示する誕生日メッセージのタイプを区分する［１２］。すなわち、本日（日付）が１６日より前の日付である場合［１２−ＹＥＳ］、「タイプ１」の誕生日メッセージを表示する［２９］。これに対し、本日（日付）が１６日以降の日付である場合［１２−ＮＯ］、「タイプ２」の誕生日メッセージを表示する［３０］。
【００６２】
なお、図５Ａ及び図５Ｂに示す上述メッセージのタイプの表示の場合分けの例は、登録された誕生日の日に応じた表示期間の最初の１ヵ月目の例を示している。このため、誕生日が１日〜１０日の場合、当月はタイプ１を、翌月はタイプ２を、翌々月はタイプ３を表示する。しかしながら、誕生日が１１日〜２０日の場合、翌月１０日まではタイプ１を、翌月末まではタイプ２を、翌々月はタイプ３を表示する。なお、誕生日が２１日〜月末の場合、翌月１５日まではタイプ１を、翌月末まではタイプ２を、翌々月はタイプ３を表示する。
【００６３】
なお、図３及び図４による説明は、生活家電機器の稼動開始または購入時期に対応する最初の月（当月）と翌月を例に説明したが、図５Ａ及び図５Ｂが示すように、例えば３ヶ月後、あるいは６ヶ月（半年）後、１年後、、、等、任意の月（年月）についても同様である。
【００６４】
このようにして、生活家電機器を購入した日もしくは使い始めた日をその家電の誕生日と考え、誕生日からの経過年月に応じて「祝！○年！ありがとう！！」、等の誕生日メッセージをテレビ装置に表示することで使用年月を可視化できる。これにより、さまざまな家電装置に、（ユーザの）愛着を生みだすことが可能である。また、ある程度の使用期間を経て家電装置に故障が生じた場合においても、ユーザに、『長い間、ありがとう』というような、長期間動いていてくれた、という意識を持たせることができる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１−４…生活家電機器、１１…入力部、１２…信号処理部、２６…ディスプレイ、５１…主制御ブロック、５５…誕生日記憶部、５６…誕生日メッセージ制御部、６４…ネットワーク制御部、１０１…映像表示装置
【図１】
2016053832.tif 000003
【図２】
2016053832.tif 000004
【図３】
2016053832.tif 000005
【図４】
2016053832.tif 000006
【図５Ａ】
2016053832.tif 000007
【図５Ｂ】
2016053832.tif 000008